(57)【要約】  【課題】雪避けカバーの先端部から雪解けの雨水が軒樋に落下しても鼻板が濡れることのない軒樋吊具構造を提供することを目的とする。  【解決手段】  軒樋２１を吊下げる軒樋吊具３０の吊具本体３１に支持片５０が立設され、この支持片５０の上部に雪避けカバー４０が屋根板３５ａの略延長線上に位置するように保持される。雪避けカバー４０の前端部４０ａに斜板４２がそれぞれ軒樋吊具３０間に設けられる。斜板４２は後端部４２ａがビス等の固着具４２ｂで雪避けカバー４０の前端部４０ａに固着され角度αで下方に折れ曲がりその先端部４２ｃが軒樋２１の前壁２２に隙間Ｓ１で近接する。雪避けカバー４０の後端部４０ｂには軒先３５に備える水切り板３５ｂとの隙間Ｓ２を塞ぐため塞ぎ板４４が固着され、その先端部４４ｂが軒先３５の屋根板３５ａと水切り板３５ｂの間に挟持される。【選択図】図１
2009287185.tif 000002
【特許請求の範囲】
【請求項１】
軒先に軒樋を吊下げる軒樋吊具構造であって、
前記軒樋は前壁と後壁と底壁とから成り、前記前壁と後壁の上端部に前耳部と後耳部を備え、前記軒樋吊具は吊具本体の前端部と後端部に前記前耳部と後耳部を係止する前耳係止部と後耳係止部を備えて所定間隔で軒先の鼻板に固定され、前記吊具本体に立設する支持片の上部に雪避けカバーが軒先に沿って連続して屋根板の略延長線上に位置するように保持され、前記雪避けカバーの前端部に斜板がその先端部を前記軒樋の前壁に近接してそれぞれの前記吊具本体間に設けられることを特徴とする軒樋吊具構造。
【請求項２】
請求項１記載の軒樋吊具構造であって、前記雪避けカバーの後端部に前記軒先に備える水切り板との隙間を塞ぐ塞ぎ板が軒先に沿って連続して突設され、この塞ぎ板の先端部が前記軒先の屋根部と前記水切り板の間に挟持されることを特徴とする軒樋吊具構造。
【発明の詳細な説明】
【技術分野】
【０００１】
本発明は軒樋内に落葉や雪が堆積して軒樋が破損するのを防止する軒樋吊具構造に関し、詳しくは、雨水が軒先の鼻板に回り込むことのない軒樋吊具構造に関する。
【背景技術】
【０００２】
従来、軒樋内に落葉等が詰まって雨水が軒樋から溢れたり、積雪地で軒樋に入った雪の自重によって軒樋が破損することがあった。この問題を解決する方法として特許文献１の内容が知られている。図３に示すように、特許文献１の軒樋１は軒先に沿って配置される軒樋吊り具２に取付けられ、この軒樋吊り具２の上方に支持片３を介して雪避けカバー６が設けられる。
【０００３】
ここで、軒樋吊り具２は前後端に軒樋１の耳部１ａを保持する耳保持部１３を備えた吊り具本体２ａと、吊り具本体２ａを鼻板１４に取付ける固定板２ｂとで構成される。固定板２ｂは固着具１５によって鼻板１４に固定され、軒樋吊り具２は軒先に沿って一定間隔毎に設置される。軒樋１は耳部１ａを吊り具本体２ａの前後端のそれぞれの耳保持部１３に係合することで軒先に沿って連続して配置される。なお、軒樋１の内側面に当接された状態で軒樋１を保持する軒樋保持片１７が吊り具本体２ａに設けられる。
【０００４】
支持片３は下端に固定片３ａが設けられ、この固定片３ａがビス１６止めによって吊り具本体２ａの上面に固定される。支持片３の上部に屋根板４の略延長線上に位置するように軒先側に向けて上り傾斜の受け片５が一体的に突設される。受け片５は支持片３の上端を屋根板４側に斜めに折り曲げて形成された折り曲げ片５ａと支持片３の上端を軒先から突出するように形成された切り起こし片５ｂとで構成される。所定間隔毎に設置された受け片５に着脱自在に取り付ける雪避けカバー６は軒樋吊り具２にて保持された軒樋１の上部開口を覆うように屋根板４先端と軒樋１の上端との間において軒先に沿って配置される。
【０００５】
雪避けカバー６は薄鋼板等の芯材１１に樹脂６ａを被覆し長手方向に沿う両端には中空部９がそれぞれ設けられ、各係止突起７ａ，８ａによって係止部７、８が形成され、係止突起７ａ、８ａの上部側に位置する各中空部９の対向端部は芯材１１の存在しない弾性変形部１２である。雪避けカバー６によって雪は前記軒樋１の内部に落下せず地上に落ちるので軒樋１の損傷を防止できる。なお、軒先先端部に水切り板２０が設けられる。
【特許文献１】特開平７−１３３６５７号公報
【発明の開示】
【発明が解決しようとする課題】
【０００６】
ところが、雪避けカバー６の先端部から雪解けの雨水Ｑが軒樋１に落下して跳ね返って鼻板１４が濡れるため、経年変化で鼻板１４が汚れたり腐食するという問題があった。
【０００７】
そこで、本発明は雪避けカバーの先端部から雪解けの雨水が軒樋に落下しても鼻板が濡れることのない軒樋吊具構造を提供することを目的とする。 
【課題を解決するための手段】
【０００８】
請求項１の発明は、軒先に軒樋を吊下げる軒樋吊具構造であって、前記軒樋は前壁と後壁と底壁とから成り、前記前壁と後壁の上端部に前耳部と後耳部を備え、前記軒樋吊具は吊具本体の前端部と後端部に前記前耳部と後耳部を係止する前耳係止部と後耳係止部を備えて所定間隔で軒先の鼻板に固定され、前記吊具本体に立設する支持片の上部に雪避けカバーが軒先に沿って連続して屋根板の略延長線上に位置するように保持され、前記雪避けカバーの前端部に斜板がその先端部を前記軒樋の前壁に近接してそれぞれの前記吊具本体間に設けられることを特徴としている。
【０００９】
請求項２の発明は、請求項１記載の軒樋吊具構造であって、前記雪避けカバーの後端部に前記軒先に備える水切り板との隙間を塞ぐ塞ぎ板が軒先に沿って連続して突設され、この塞ぎ板の先端部が前記軒先の屋根部と前記水切り板の間に挟持されることを特徴としている。
【発明の効果】
【００１０】
請求項１記載の発明によれば、前記吊具本体に立設する支持片の上部に雪避けカバーが軒先に沿って連続して屋根板の略延長線上に位置するように保持されるので、屋根から降雪の固まりが滑落する際に雪避けカバーによって雪は前記軒樋の内部に落下せず地上に落ちるので軒樋の損傷を防止できる。落ち葉等の侵入が防止できて軒樋の詰まりが防止できる。さらに、前記雪避けカバーの前端部に斜板が各一対の前記吊具本体間にそれぞれ設けられ、その斜板の先端部は前記軒樋の前壁に近接するので、雪解けの雨水は雪避けカバーから斜板に導かれ前記軒樋の前壁に沿って底壁まで確実且つスムーズに流れる。このため、雨水の水跳ねが発生しないので鼻板が濡れることなく鼻板の汚れや腐食が防止できる。
【００１１】
請求項２記載の発明によれば、前記雪避けカバーの後端部に突設される塞ぎ板の先端部が前記軒先の屋根部と前記水切り板の間に挟持されるので、屋根からの雨水が確実に前記雪避けカバーに流れるため雨水が軒樋に落下しないので鼻板が濡れることがないので請求項１の効果と同様の効果が得られる。
【発明を実施するための最良の形態】
【００１２】
＜軒樋吊具の構成＞  
以下に、本発明の実施形態を図１〜図２に基づいて説明する。図１、図２に示すように、軒樋２１は前壁２２と後壁２３と底壁２４とから成る断面略Ｕ字形状で、前壁２２は軒樋２１の外部側に少し湾曲している。前壁２２の上部２５は軒樋内部側に上端部近傍部２５ａと上端部２５ｂで折れ曲がり、上端部２５ｂの軒樋内部側に断面略台形状の前耳部２６を備える。後壁２３の上端部には軒樋内部側に後耳部２７を備える。底壁２４に排水口２４ａが設けられる。
【００１３】
軒樋２１を吊下げる軒樋吊具３０の吊具本体３１は略平行な上板材３１ａと下板材３１ｂが垂直材３１ｃで断面Ｈ字形状に形成され、吊具本体３１の前端部に軒樋２１の前耳部２６を嵌合収納するため上方に断面略半円状に開口する前耳保持凹部３２を備える。吊具本体３１の後端部は軒先の鼻板３３に固定されるとともに、後端部の近傍に軒樋２１の後耳部２７を係止する後耳保持凸部３４を備える。軒樋吊具３０は所定間隔で鼻板３３に軒先３５に沿って複数組が配置される。
【００１４】
吊具本体３１に支持片５０が立設され、この支持片５０の上部に雪避けカバー４０が軒先に沿って連続するように形成されるとともに屋根板３５ａの略延長線上に位置するように保持される。雪避けカバー４０の前端部４０ａの下面側に雪避けカバー４０に沿って斜板４２がそれぞれの軒樋吊具３０間に設けられる。斜板４２は後端部４２ａがビス等の固着具４２ｂで雪避けカバー４０の前端部４０ａに固着され角度αで下方に折れ曲がりその先端部４２ｃが軒樋２１の前壁２２に対して隙間Ｓ＝略１０ｍｍで近接する状態で取付られる。斜板４２は吊具本体３１との隙間を最小にするべくできるだけ吊具本体３１に近接して取付けることが好ましい。
【００１５】
雪避けカバー４０の後端部４０ｂには軒先３５に備える水切り板３５ｂとの隙間Ｓ２を塞ぐための塞ぎ板４４がビス等の固着具４４ａで雪避けカバー４０の後端部４０ｂの上面側に固着されて突設する。そして、この塞ぎ板４４の先端部４４ｂが軒先３５の屋根板３５ａと水切り板３５ｂの間に挟持される。
【００１６】
＜雪避けカバー４０と支持片５０の詳細形状＞
支持片５０は吊具本体３１の上板材３１ａと同じ幅の板材５１が補強材５２によって断面Ｔ字形状に形成され、上端部５０ａにおいて板材５１は屋根勾配βに合わせて上方に傾斜し補強材５２より突出して第一保持部５１ａが形成される。板材５１の上端部５０ａの近傍における高さ位置５１ｂで、補強材５２と反対側に水平材５１ｃと上方に延びる垂直材５１ｄとが連続して形成され、垂直材５１ｄの上端部が屋根勾配βに合わせて下方に傾斜して第二保持部５１ｅが形成される。第一保持部５１ａと第二保持部５１ｅは雪避けカバー４０の平板材４１に沿うように同一面で形成される。
【００１７】
雪避けカバー４０の断面形状は、平板材４１が前端部４０ａと後端部４０ｂでそれぞれ下方に空間部を形成して平板材４１と平行にそれぞれ折り曲げられた後、平板材４１との間に対向する状態で凹部４０ｃ、４０ｄを形成して平板材４１に連結される。
【００１８】
雪避けカバー４０を支持片５０に取付ける場合は、雪避けカバー４０を立てた状態にして雪避けカバー４０の凹部４０ｄを支持片５０の第一保持部５１ａに差し込んだ状態で平板材４１に沿うように回転させ、凹部４０ｃを第支持片５０の二保持部５１ｅに押込んで弾性変形させて嵌入する。あるいは、雪避けカバー４０の長さ方向の一端部から、凹部４０ｄを第一保持部５１ａに凹部４０ｃを二保持部５１ｅに挿入しながら軒先３５と平行にスライドして差し込むこともできる。
【００１９】
軒樋吊具と支持片はポリカーボネート樹脂や亜鉛鍍金鋼板、ステンレス材で形成される。雪避けカバー４０と斜板４２と塞ぎ板４４は異形押出成形を容易にするため合成樹脂材料が用いられ、例えば曲げ加工、切断加工が容易で積雪荷重に耐える強度を持ったＰＣ樹脂が好ましい。さらに、光による変色劣化や強度低下の防止のためＰＭＭＡ、ＡＳＡ、ＡＥＳ等の耐候性樹脂材料の二層被覆が望ましい。
＜軒樋吊具の作用＞
【００２０】
雪避けカバー４０が吊具本体３１の支持片５０によって、軒先に沿って連続するように形成されるとともに屋根板３５ａの略延長線上に位置するように保持され、雪避けカバー４０の前端部４０ａに雪避けカバー４０と平行に斜板４２が設けられる。斜板４２は先端部４２ｃと軒樋２１の前壁２２が隙間Ｓ１＝略１０ｍｍで近接する状態で取付られる。このため、雪避けカバー４０からの雨水は矢印Ｐで示すように、先端部４２ｃから前壁２２に沿って底壁２４に流れ排水口２４ａまで飛跳ねることもなくスムーズに流れるので、雨水が鼻板３３を濡らすことがなくなり鼻板が汚れたり腐食する問題が無くなるので品質性が向上する。
【００２１】
さらに、雪避けカバー４０の後端部４０ｂに固着される塞ぎ板４４の先端部４４ｂが軒先３５の屋根板３５ａと水切り板３５ｂの間に挟持されるので、雪避けカバー４０と屋根板３５ａ間の隙間Ｓ２を確実に覆うことができるため、雪避けカバー４０の後端部４０ｂからの雨水の落下がなくなるので鼻板３３を濡らすことがなく品質性が向上する。
【００２２】
雪避けカバー４０の前端部４０ａと後端部４０ｂはそれぞれ下方に空間部を形成するので前端部４０ａと後端部４０ｂの強度は補強されているため積雪の耐荷重性能を高くすることができる。積雪時の雪避けカバー４０が撓まないので軒樋２１内への雪の侵入を確実に防止することができる。
【００２３】
斜板４２と塞ぎ板４４はＰＣ樹脂等の合成樹脂材料が使用されるので、曲げ加工、切断加工に優れるので加工性が向上する。さらに、透明性ＰＣ樹脂とＰＭＭＡ樹脂の二層形成であればその透明性によって軒樋の内部状態を透視できるので内部の汚れや詰まり等の原因発見が容易なので使い勝手が向上する。
【００２４】
以上、本発明の実施例を図面に基づいて説明したが、具体的な構成はこの実施例に限られるものではなく本発明の要旨を逸脱しない範囲の設計変更等があっても本発明に含まれる。
【００２５】
例えば、斜板４２の先端部４２ｃと軒樋２１の前壁２２との隙間Ｓ１は降雪地域状況等を考慮してその寸法が決定される。先端部４２ｃの水平方向の一部領域を雨水が底壁２４から飛跳ねない程度に隙間Ｓ１より広く部分開口しておくと、隙間Ｓ１を広げずに雨水の瞬間的な増水を吸収することができる。雨水の流れをよりスムーズにするため雪避けカバー４０の平板材４１と斜板４２間を段差のない流線状に連結し、斜板４２を緩やかな曲面状に形成することもできる。雪避けカバー４０と斜板４２と塞ぎ板４４は一体形成してもよい。
【図面の簡単な説明】
【００２６】
【図１】本発明の実施形態における軒樋吊具３０に立設される支持片５０の上部に雪避けカバー４０が保持され、雪避けカバー４０の前端部４０ａに斜板４２と後端部４０ｂに塞ぎ板４４が形成された状態を示す側面図である。
【図２】本発明の実施形態における軒樋吊具３０の図１におけるＡ−Ａ矢視図である。
【図３】従来の雪避けカバー６が軒先に沿って軒樋吊り具２の上方に支持片３を介して配置された状態を示す断面図である。
【符号の説明】
【００２７】
２１  軒樋
２２  前壁
３０  軒樋吊具
３１  吊具本体
３５  軒先
３５ａ  屋根板
３５ｂ  水切り板
４０  雪避けカバー
４０ａ  前端部
４２  斜板
４２ａ  後端部
４２ｂ  固着具
４２ｃ  先端部
４０ｂ  後端部
４４  塞ぎ板
４４ｂ  先端部
５０  支持片
【図１】
2009287185.tif 000003
【図２】
2009287185.tif 000004
【図３】
2009287185.tif 000005